(57)【要約】【課題】携帯電話などの携帯端末に、非接触型・接触型両対応のＩＣカードを装着し、非接触通信を用いて、あるエリアに入退場した時に、そのエリアおよび時間帯に応じて携帯端末の動作状態を変更可能とし、例えばマナーモードの切替処理を自動的に行うとができる通信システムを提供することを目的とする。【解決手段】ＩＣカードは非接触通信で入退場処理装置から入退場情報（入退場時刻と場所を含む）を受信して記憶する。携帯端末は接触通信でＩＣカードから入退場情報を受信する。携帯端末は所定の時刻と場所で実行する動作に関する設定情報を記憶している。携帯端末は、設定情報を参照し入退場情報に応じた所定の動作を実行する。【選択図】図１
2004349994.tif 000002
【特許請求の範囲】
【請求項１】
特定エリアの出入口に設置される入退場処理装置と、
該特定エリアへの入退場時刻及び／又は入退場した場所に関する入退場情報を該入退場処理装置から受信して記憶するＩＣカードと、
該入退場時刻及び／又は入退場した場所と該入退場時刻及び／又は入退場した場所で実行する動作との組を設定情報として記憶しており、該ＩＣカードから該入退場情報を受信すると、該設定情報を参照して該入退場情報に含まれる該入退場時刻及び／又は入退場した場所に応じた所定の動作をする携帯端末と、
を備えることを特徴とする通信システム。
【請求項２】
接触通信機能及び非接触通信機能を有するＩＣカードと、特定エリアの出入口に設置され、該ＩＣカードと非接触通信する入退場処理装置と、該ＩＣカードと接触通信する携帯端末と、を備える通信システムであって、
該ＩＣカードは、該特定エリアへの入退場時刻及び／又は入退場した場所に関する入退場情報を該入退場処理装置から非接触通信で受信して記憶し、
該携帯端末は、該入退場時刻及び／又は入退場した場所と該入退場時刻及び／又は入退場した場所で実行する動作との組を設定情報として記憶しており、該ＩＣカードから該入退場情報を接触通信で受信すると、該設定情報を参照して該入退場情報に含まれる該入退場時刻及び／又は入退場した場所に応じた所定の動作をすること、
を特徴とする通信システム。
【請求項３】
請求項２において、
前記ＩＣカードは、接触通信が行われているときに非接触通信の要求を受けた場合、接触通信の処理が終了してから非接触通信を開始し、非接触通信が行われているときに接触通信の要求を受けた場合、非接触通信の処理が終了してから接触通信を開始するように制御する通信管理手段を備えること、
を特徴とする通信システム。
【請求項４】
請求項２において、
前記ＩＣカードは、接触通信で通信された情報を処理する接触通信サーバープログラムと、非接触通信で通信された情報を処理する非接触通信サーバープログラムと、を備えており、
該接触通信プログラムはさらに、接触通信で通信された情報を該非接触通信サーバープログラムが受信可能な情報に変換して該非接触通信サーバープログラムに転送する機能を有すること、
を特徴とする通信システム。
【請求項５】
請求項２乃至４のいずれかにおいて、
前記携帯端末は、前記ＩＣカードと前記入退場処理装置との非接触通信を検出する非接触通信検出手段を備え、
前記携帯端末は、該非接触通信手段が前記ＩＣカードと前記入退場処理装置との非接触通信を検出したときに、該ＩＣカードから該入退場情報を接触通信で受信すること、
を特徴とする通信システム。
【請求項６】
請求項２乃至４のいずれかにおいて、
前記ＩＣカードは、前記入退場処理装置と非接触通信をすると、前記入退場処理装置と非接触通信を行ったことを前記携帯端末に通知する手段を備え、
前記携帯端末は、該通知を受けたときに、該ＩＣカードから該入退場情報を接触通信で受信すること、
を特徴とする通信システム。
【請求項７】
請求項１乃至６のいずれかにおいて、
前記携帯端末は携帯電話であり、
前記所定の動作とは携帯電話をマナーモードにすることであること、
を特徴とする通信システム。
【請求項８】
接触通信機能および非接触通信機能を有するＩＣカードを用いて特定エリアへの入退場処理を行う通信システムであって、
該特定エリアの出入口に設置され該ＩＣカードと非接触通信を行う機能を有する入退場処理装置と、該ＩＣカードを内蔵し、該ＩＣカードと接触通信を行う機能を有する携帯端末を備え、
該携帯端末が該特定エリアに入退場する際に、該入退場処理装置は、入退場時刻と入退場した場所を表す入退場情報を、非接触通信機能を用いて、該ＩＣカードに送信し、該ＩＣカードは、該入退場情報を記憶し、
該携帯端末は、接触通信機能を用いて、該ＩＣカードから該入退場情報を定期的に受信して該入退場情報の入退場時刻が更新されていたら、該入退場時刻および該入退場した場所に応じた所定の動作を行うことを特徴とする通信システム。
【請求項９】
特定エリアへの入退場処理を行うために用いる携帯端末であって、
該携帯端末は、接触通信機能および非接触通信機能を有するＩＣカードを内蔵可能であり、該ＩＣカードと接触通信を行う接触通信手段と、ＲＦ動作磁界を電磁誘導により電力に変換するコイルと、該携帯端末全体を制御する携帯端末処理プログラムと、該ＩＣカードとの接触通信を制御する接触通信クライアントプログラムと、特定エリアへの入退場時刻と入退場した場所を表す入退場情報を格納する情報蓄積手段と、該携帯端末処理プログラムと該接触通信クライアントプログラムを実行する演算処理手段を有し、
該接触通信クライアントプログラムは、該接触通信手段を用いて、該ＩＣカードから該入退場情報を定期的に受信し、該入退場情報の入退場時刻が更新されていたら、該情報蓄積手段に蓄積すると共に、該携帯端末処理プログラムに通知し、該携帯端末処理プログラムは、該接触通信クライアントプログラムから通知を受けたら、該入退場時刻および該入退場した場所に応じた所定の動作を行うことを特徴とする携帯端末。
【請求項１０】
特定エリアへの入退場処理を行うために用いる携帯端末であって、
該携帯端末は、接触通信機能および非接触通信機能を有するＩＣカードを内蔵し、該ＩＣカードと接触通信を行う接触通信手段と、ＲＦ動作磁界を電磁誘導により電力に変換するコイルと、該コイルが電磁誘導により電力を発生していることを検出する非接触通信検出手段と、該携帯端末全体を制御する携帯端末処理プログラムと、該ＩＣカードとの接触通信を制御する接触通信クライアントプログラムと、特定エリアへの入退場時刻と入退場した場所を表す入退場情報を格納する情報蓄積手段と、該携帯端末処理プログラムと該接触通信クライアントプログラムを実行する演算処理手段を有し、
該接触通信クライアントプログラムは、該非接触通信検出手段を介して該コイルが電磁誘導により電力を発生していることを検出したら、該接触通信手段を用いて、該ＩＣカードから該入退場情報を受信し、該入退場情報の入退場時刻が更新されていたら、該情報蓄積手段に蓄積すると共に、該携帯端末処理プログラムに通知し、該携帯端末処理プログラムは、該接触通信クライアントプログラムから通知を受けたら、該入退場時刻および該入退場した場所に応じた所定の動作を行うことを特徴とする携帯端末。
【請求項１１】
接触通信を行う接触通信手段と、非接触通信を行う非接触通信手段と、接触通信処理を行う接触通信サーバープログラムと、非接触通信処理を行う非接触通信サーバープログラムと、接触通信および非接触通信を管理する通信管理プログラムと、該接触通信サーバープログラムと該非接触通信サーバープログラムと通信管理プログラムを実行する演算処理手段を有し、
該通信管理プログラムは、該非接触通信手段を介して、外部から非接触通信コマンドを受信したら、該非接触通信サーバープログラムあるいは該接触通信サーバープログラムの処理が終了するまで待ってから、該非接触通信コマンドを該非接触通信サーバープログラムに送信し、
該通信管理プログラムは、該接触通信手段を介して、外部から接触通信コマンドを受信したら、該非接触通信サーバープログラムあるいは該接触通信サーバープログラムの処理が終了するまで待ってから、該接触通信コマンドを該接触通信サーバープログラムに送信することを特徴とするＩＣカード。
【請求項１２】
接触通信を行う接触通信手段と、非接触通信を行う非接触通信手段と、接触通信処理を行う接触通信サーバープログラムと、非接触通信処理を行う非接触通信サーバープログラムと、接触通信および非接触通信を管理する通信管理プログラムと、該接触通信サーバープログラムと該非接触通信サーバープログラムと通信管理プログラムを実行する演算処理手段を有し、
該接触通信サーバープログラムは、外部から接触通信コマンドを受信したら、非接触通信コマンドに変換して、該通信管理プログラムに送信し、
該通信管理プログラムは、該接触通信サーバープログラムから該非接触通信コマンドを受信したら、該非接触通信コマンドを該非接触通信サーバープログラムに送信し、
該非接触通信サーバープログラムは、該通信管理プログラムから該非接触通信コマンドを受信したら、該非接触通信コマンドに基づいた処理を行うことで非接触通信レスポンスを作成し、該非接触通信レスポンスを該通信管理プログラムに送信し、
該通信管理プログラムは、該非接触通信サーバープログラムから該非接触通信レスポンスを受信したら、該非接触通信レスポンスを該接触通信サーバープログラムに送信し、
該接触通信サーバープログラムは、該通信管理プログラムから該非接触通信レスポンスを受信したら、該非接触通信レスポンスを接触通信レスポンスに変換して、該接触通信レスポンスを外部に送信することを特徴とするＩＣカード。
【請求項１３】
接触通信を行う接触通信手段と、非接触通信を行う非接触通信手段を有するＩＣカードであって、該非接触通信手段は、該ＩＣカード内部あるいは該ＩＣカード外部に接続されているＲＦ動作磁界を電磁誘導により電力に変換するコイルを用いて非接触通信を行い、
該接触通信手段は、該コイルが電磁誘導により電力を発生していることを検出する機能を有し、該コイルが電磁誘導により電力を発生していることを検出したら、外部に通知信号を発生することを特徴とするＩＣカード。
【請求項１４】
接触通信機能および非接触通信機能を有するＩＣカードを用いて特定エリアへの入退場処理を行う通信方法であって、
該特定エリアの出入口に設置され該ＩＣカードと非接触通信を行う機能を有する入退場処理装置と、該ＩＣカードを内蔵し、該ＩＣカードと接触通信を行う機能を有する携帯端末を用い、
該携帯端末が該特定エリアに入退場する際に、該入退場処理装置は、入退場時刻と入退場した場所を表す入退場情報を、非接触通信機能を用いて、該ＩＣカードに送信するステップと、
該ＩＣカードは、該入退場情報を記憶するステップと、
該携帯端末は、接触通信機能を用いて、該ＩＣカードから該入退場情報を定期的に受信するステップと、
該入退場情報の入退場時刻が更新されていたら、該入退場時刻および該入退場した場所に応じた所定の動作を該携帯端末が行うステップを実行することを特徴とする通信方法。
【請求項１５】
特定エリアの入口及び／又は出口に設置される入退場処理装置と、
該入退場処理装置と通信し、該特定エリアへ入場又は退場した時刻、及び／又は、該特定エリアへ入場又は退場した場所、を検出して入退場情報として記憶する検出装置と、
所定の時刻及び／又は場所と該所定の時刻及び／又は場所で実行する動作との組を設定情報として記憶しており、該検出装置から該入退場情報を受信すると、該設定情報を参照して該入退場情報に含まれる時刻及び／又は場所に応じた所定の動作をする携帯端末と、
を備えることを特徴とする通信システム。
【請求項１６】
特定エリアの入口及び／又は出口に設置される入退場処理装置と、該入退場処理装置と通信し、該特定エリアへ入場又は退場した時刻、及び／又は、該特定エリアへ入場又は退場した場所、を検出して入退場情報として記憶する検出装置と、該検出装置と通信する携帯端末と、を有する通信システムにおける該携帯端末であって、
所定の時刻及び／又は場所と該所定の時刻及び／又は場所で実行する動作との組を設定情報として記憶する記憶手段と、
前記検出装置から前記入退場情報を受信すると、該設定情報を参照して前記入退場情報に含まれる時刻及び／又は場所に応じた所定の動作をする制御手段と、
を備えることを特徴とする携帯端末。
【発明の詳細な説明】
【０００１】
【発明の属する技術分野】
本発明は、特定エリアへの入退場に係る通信システムに関する。
【０００２】
【従来の技術】
本発明の従来技術として、例えば特開平１０−１９１４５４号公報（特許文献１）がある。この公報には「特定の場所における携帯可能な通信機器の使用を制限することができる通信機器システムおよび通信機器を提供する。携帯可能な通信機器は、例えば携帯電話であり、非接触ＩＣモジュールを組み込んでいる。ゲート装置は、非接触ＩＣモジュールと電波を用いて通信を行う。非接触ＩＣモジュールは、ゲート装置から受信した識別データをメモリで保持する。携帯可能な通信機器は、メモリが保持する識別データに基づいて、通信機器部における通話動作を禁止または許可する。」との記載がある。
【０００３】
【特許文献１】
特開平１０−１９１４５４号公報
【０００４】
【発明が解決しようとする課題】
特許文献１に記載の技術は、病院やパチンコ店など電波を放射することが禁止されるようなエリアに入場すると非接触ＩＣモジュールに電波発信禁止を示す識別データを記憶し、携帯電話は非接触ＩＣモジュールに記憶された識別データを読み出してそれが電波発信禁止を示す場合、携帯電話の電源を強制的にオフにするものである。
【０００５】
ところが、エリアによっては、例えば、電波の放射よりも、着信音や通話音が周囲の人に不快感を与えてしまうという問題の方が大きい場合もある。この場合は、携帯電話の電源を強制的にオフにするのではなく、携帯電話にマナーモードを設け、着信音を鳴らす代わりにバイブレーションによって使用者に着信を通知したり、マナーモード設定中には、着信しても今は応答できないことを自動音声案内機能を用いて相手に通知したりすることが考えられる。また、マナーモードにも複数の設定があり、エリアに応じて使い分けることもある。また、同じエリアでも時間帯によって適切な動作状態は異なる場合がある。例えば、混雑時と人の少ない時で異なる動作状態に設定したい場合である。また、入場時だけでなく退場時にも自動的に元の設定に戻す、あるいは他の動作状態に変更することも便利である。
【０００６】
即ち、あるエリアに入退場する際にそのエリアに応じて携帯電話の動作状態を変更可能とする方が、ユーザの使い勝手が向上する。
【０００７】
しかし、特許文献１に記載の技術は、電波発信許可または禁止を示す識別データのみを用いるため、エリアに応じた細やかな動作状態の変更ができない。また、電源を切るため、退場時に元の状態に戻したり他の状態に変更することができない。
【０００８】
そこで本発明は、あるエリアに入退場した時に、そのエリアおよび時間帯に応じて携帯端末の動作状態を変更可能とした通信システムを提供することと目的とする。
【０００９】
【課題を解決するための手段】
上記目的は特許請求の範囲に記載の発明によって達成される。
【００１０】
【発明の実施の形態】
以下、本発明の実施形態について説明していく。
まず、第１の実施形態について説明する。図１に、本実施形態に係わる通信システムの構成要素ブロック図を示す。図１において、１００は携帯端末、２００は検出装置の一例であるＩＣカード、３００は入退場処理装置である。携帯端末１００は、ＩＣカード２００とＩＳＯ／ＩＥＣ７８１９等の接触インタフェイスを介して通信することが可能であり、例えば携帯電話や、ＰＤＡなどが考えられる。ＩＣカード２００は、ＩＳＯ／ＩＥＣ  １４４４３等の非接触インタフェイスを介して、入退場処理装置３００と通信することが可能である。入退場処理装置３００は、特定のエリアの出入口に設置され、例えば駅の自動改札装置や、コンサートホールなど出入口に設置する装置であり、また、入退場を管理するために、認証処理や決済処理を行う装置を想定している。本実施例では、入退場処理装置３００は、入場と退場の両方を処理するようになっているが、入場処理を行う装置と、退場処理を行う装置に分割しても、本発明の適用範囲である。また本実施例では、携帯端末１００は、ＩＣカード２００を内蔵している構成になっているが、携帯端末１００に拡張スロットを設け、利用者がＩＣカード２００を抜差しできる構成であっても良い。
【００１１】
次に、携帯端末１００の内部構成について説明する。携帯端末１００は、接触通信手段１１０と、演算処理手段１２０と、情報蓄積手段１３０と、操作手段１４０と、表示手段１５０と、無線通信手段１６０と、アンテナ１６１と、音声処理手段１７０と、振動処理手段１８０と、バイブレータ１８１と、コイル１２３から構成される。接触通信手段１１０は、ＩＣカード２００と接触方式で通信するために使用する。情報蓄積手段１３０は、ＩＣカード２００から取得した情報、ユーザが入力した情報、無線通信により受信した情報、あるいはプログラム等を一時的あるいは永続的に蓄積する機能を有し、例えばハードディスクや半導体メモリ等から構成される。本実施例においては、情報蓄積手段１３０には、携帯端末を処理するためのプログラムである携帯端末処理プログラム１３１と、ＩＣカード２００を制御するためのプログラムである接触通信クライアントプログラム１３２と、携帯端末が特定のエリアに入退場した情報を表す入退場情報１３３と、各エリアごとに携帯端末の動作状態をどのように変更するかを設定する設定情報１３４を格納する。コイル１２３はＩＣカード２００が入退場処理装置３００と非接触通信を行う場合に使用し、入退場処理装置３００が発生させたＲＦ動作磁界を電磁誘導により電力に変換する。演算処理手段１２０は、マイクロプロセッサを用い、情報蓄積手段１３０に格納されているプログラムを実行することで、携帯端末全体の制御を司る。なお、本実施例においては、コイル１２３は携帯端末１００が内蔵している構成になっているが、ＩＣカード２００が内蔵している構成であっても、本発明の適用範囲である。
【００１２】
次に、ＩＣカード２００の内部構成について説明する。ＩＣカード２００は、演算処理手段２１０と、接触通信手段２２０と、情報蓄積手段２３０と、非接触通信手段２４０から構成される。接触通信手段２２０は、携帯端末１００と通信を行い、携帯端末１００からコマンドを受信したり、携帯端末１００にレスポンスを返信したりする機能を有する。非接触通信手段２４０は、入退場処理装置３００と通信を行い、入退場処理装置３００からコマンドを受信したり、入退場処理装置３００にレスポンスを返信したりする機能を有する。情報蓄積手段２３０は、ＩＣカードが内蔵するプログラムやデータを一時的あるいは永続的に格納する機能を有し、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ等の半導体メモリから構成される。本実施例においては、情報蓄積手段２３０には、接触通信手段２２０を用いて携帯端末１００と通信処理を行うプログラムである接触通信サーバープログラム２３１と、非接触通信手段２４０を用いて入退場処理装置３００と通信処理を行うプログラムである非接触通信サーバープログラム２３２と、接触通信および非接触通信の管理を行う通信管理プログラム２３６と、特定のエリアに入退場した情報を表す入退場情報２３３と、認証処理を行うために用いる鍵データである鍵情報２３４と、ＩＣカード２００が利用可能な金額の残高を表す残高データ２３５を格納する。
【００１３】
ここで、本実施例においては、入退場情報２３３は、接触通信サーバープログラム２３１からも、非接触通信サーバープログラム２３２からも、アクセス可能であるものとする。また、接触通信サーバープログラム２３１と非接触通信サーバープログラム２３２と通信管理プログラム２３６は、異なるオペレーティングシステム上で動作していても、あるいは同一のオペレーティングシステム上で動作していても、あるいはまた、オペレーティングシステムを使用しないで動作していても、本発明の適用範囲である。また、鍵情報２３４は公開鍵暗号方式に基づいていても、共通鍵暗号方式に基づいていても、本発明の適用範囲である。
【００１４】
なお、従来の接触と非接触の両方の通信が可能なＩＣカードでは、通信の際は接触または非接触の一方の通信手段のみを用いる利用を想定しており、両方の通信手段が同時に用いられる場面は想定されてなかった。そして、ＩＣカード内での処理は、接触と非接触のいずれの通信手段で通信しようとも同じ処理をしていた。即ち、単に通信手段を２つ持つに過ぎなかった。ところが、本発明では、携帯端末１００との接触通信と、入退場処理装置３００との非接触通信は、いずれも独立して通信が開始され、両方の通信が同時に発生する可能性もある。また、接触通信と非接触通信とで通信相手が異なっておりＩＣカード内の処理も異なる。従って、いずれの通信手段で通信が行われたかを把握する必要もある。そこで、これらの課題を解決するため、本発明は通信管理プログラム２３６を備えている。通信管理プログラム２３６は、接触通信と非接触通信とが同時に発生しないように排他制御を行い、また通信の際はいずれの通信手段で通信されたかを把握し、通信に用いられた通信手段に応じたプログラムに通信内容を転送することにより、ＩＣカード２００の通信を管理する。詳細は後述する。
【００１５】
演算処理手段２１０は、マイクロプロセッサを用い、情報蓄積手段２３０に格納されているプログラムを実行することで、ＩＣカード全体の制御を司る。ここで、ＩＣカードはその通信方式により、接触型と非接触型に分類される。それぞれの仕様はすでに標準化されており、例えば、接触型ＩＣカードは、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ：  国際標準化機構）で、ＩＳＯ／ＩＥＣ７８１６として標準化されている。また、非接触型ＩＣカードは、ＩＳＯ／ＩＥＣ１４４４３で標準化されている。ＩＳＯ／ＩＥＣ７８１６およびＩＳＯ／ＩＥＣ１４４４３に基づくＩＣカードは、端末から送信するコマンドに従って内部で演算を行い、結果をレスポンスとして返すということを順次行っていくことで、サービスを実現するための処理を遂行していく。ここで、ＩＣカード−端末間で送受信するコマンドとレスポンスは、ＡＰＤＵ（Ａｐｐｌｉｃａｔｉｏｎ  Ｐｒｏｔｏｃｏｌ  Ｄａｔａ  Ｕｎｉｔ）という形式としてＩＳＯ／ＩＥＣ７８１６で規定している。ＡＰＤＵは、接触型と非接触両方で使用することが可能である。本発明においては、接触通信手段２２０はＩＳＯ／ＩＥＣ７８１６に準拠していてもいなくても良い。また、非接触通信手段２４０はＩＳＯ／ＩＥＣ１４４４３に準拠していてもいなくても良い。またＩＣカード２００と携帯端末１００の間、およびＩＣカード２００と入退場処理装置３００の間で、ＡＰＤＵを用いても本発明の適用範囲である。
【００１６】
次に、入退場処理装置３００の内部構成について説明する。入退場処理装置３００は、演算処理手段３１０と、非接触通信手段３２０と、情報蓄積手段３３０と、コイル３４０から構成される。非接触通信手段３２０は、ＩＣカード２００とコイル３４０を介して非接触方式で通信するために使用する。情報蓄積手段３３０は、プログラムやデータを一時的あるいは永続的に蓄積する機能を有し、例えばハードディスクや半導体メモリ等から構成される。本実施例においては、情報蓄積手段３３０は、ＩＣカード２００と通信し、認証処理や決済処理を行なうためのプログラムである非接触通信クライアントプログラム３３１と、入退場者に送信する情報である入退場情報３３２、認証処理で用いる鍵データである鍵情報３３３と、入退場によって発生する徴収料金を管理する課金情報３３４を格納する。ここで、鍵情報３３４は公開鍵暗号方式に基づいていても、共通鍵暗号方式に基づいていても、本発明の適用範囲である。演算処理手段３１０は、マイクロプロセッサを用い、情報蓄積手段３３０に格納されているプログラムを実行することで、装置全体の制御を司る。
【００１７】
次に、入退場情報について説明する。本実施例においては、携帯端末１００が保持する入退場情報１３３と、ＩＣカード２００が保持する入退場情報２３３と、入退場処理装置３００が保持する入退場情報３３２の内部構成は同じあるものとして説明していくが、同様の処理が行えれば異なった構成であっても問題はない。ここでは、代表してＩＣカード２００が保持する入退場情報２３３の構成図を図２に示す。図２において、入退場情報２３３は、タイムスタンプ４０１と、入退場フラグ４０２と、場所情報４０３を含んだ構成になっている。タイプスタンプ４０１は、入退場処理装置３００とＩＣカード２００との間で非接触通信を行い、認証処理や決済処理が行われた時の日時や時刻を表す。入退場フラグ４０２は、ＩＣカード１００が、入退場処理装置３００が管理しているエリアに入場した時と、退場した時を判別するためのフラグ情報である。たとえば、入場した時は１、退場した時は０と設定することが考えられる。場所情報４０３は、入退場処理装置３００が設置されている場所を表す名称や識別子であり、例えば駅名あるいは駅を識別する識別子、コンサート会場名あるいはコンサート会場を識別する識別子を用いることが考えられる。
【００１８】
次に、ＩＣカード２００で実行される接触通信および非接触通信の処理フローについて図３を用いて説明する。図３においては、ＩＣカード２００が内蔵する接触通信サーバープログラム２３１と非接触通信サーバープログラム２３２と通信管理プログラム２３６の処理ステップを図示している。
【００１９】
まず、ＩＣカード２００が接触通信手段２２０を介して、外部から接触通信コマンドを受信した場合について説明する。この場合、はじめに通信制御プログラム２３６に接触通信コマンドが渡される。そして処理Ｓ４６０１として、接触通信サーバープログラム２３１に接触通信コマンドを転送する。接触通信サーバープログラム２３１は接触通信コマンドを受信すると、処理Ｓ４１０１として接触通信コマンドに基づいた処理を行う。そして接触通信レスポンスを生成し、通信制御プログラム２３６に転送する。通信制御プログラム２３６は接触通信レスポンスを受信すると、処理Ｓ４６０２として接触通信手段２２０を介して外部に接触通信レスポンスを送信する。
【００２０】
次に、ＩＣカード２００が非接触通信手段２４０を介して、外部から非接触通信コマンドを受信した場合について説明する。この場合、はじめに通信制御プログラム２３６に非接触通信コマンドが渡される。そして処理Ｓ４６０３として、非接触通信サーバープログラム２３２に非接触通信コマンドを転送する。非接触通信サーバープログラム２３２は非接触通信コマンドを受信すると、処理Ｓ４２０１として非接触通信コマンドに基づいた処理を行う。そして非接触通信レスポンスを生成し、通信制御プログラム２３６に転送する。通信制御プログラム２３６は非接触通信レスポンスを受信すると、処理Ｓ４６０４として非接触通信手段２４０を介して外部に非接触通信レスポンスを送信する。
【００２１】
次に、ＩＣカード２００が非接触通信手段２４０を介して、外部から非接触通信コマンドを受信して処理を行っている間に、接触通信手段２２０を介して、外部から接触通信コマンドを受信した場合の処理を説明する。まず、はじめに非接触通信コマンドを通信制御プログラム２３６が受信すると、処理Ｓ４６０５として非接触通信サーバープログラム２３２に非接触通信コマンドを転送する。非接触通信サーバープログラム２３２は非接触通信コマンドを受信すると、処理Ｓ４２０２として非接触通信コマンドに基づいた処理を行う。そして、処理Ｓ４２０２が行われている間に、接触通信コマンドを通信制御プログラム２３６が受信すると、処理Ｓ４６０７として、接触通信コマンドを一時的に保持するとともに、接触通信手段２２０を介して外部に待ち時間延長レスポンスを送信する。その後、非接触通信サーバープログラム２３２は処理Ｓ４２０１の非接触通信コマンド処理が終了したら、非接触通信レスポンスを生成し、通信制御プログラム２３６に転送する。通信制御プログラム２３６は非接触通信レスポンスを受信すると、処理Ｓ４６０７として非接触通信手段２４０を介して外部に非接触通信レスポンスを送信する。その後、通信制御プログラム２３６は処理Ｓ４６０８として一時的に保存しておいた接触通信コマンドを、接触通信サーバープログラム２３１に転送する。接触通信サーバープログラム２３１は接触通信コマンドを受信すると、処理Ｓ４１０２として接触通信コマンドに基づいた処理を行う。そして接触通信レスポンスを生成し、通信制御プログラム２３６に転送する。通信制御プログラム２３６は接触通信レスポンスを受信すると、処理Ｓ４６０９として接触通信手段２２０を介して外部に接触通信レスポンスを送信する。以上の処理手順により非接触通信コマンドを処理している時に、接触通信コマンドを受信しても、接触通信コマンドの処理を待たせることで排他的な処理を行うことができるとともに、待ち時間延長レスポンスを送信することで、タイムアウトを防止することが可能になる。ここで、接触通信コマンドを処理している時に、非接触通信コマンドを受信しても、同様の処理手順を適用することが可能である。
【００２２】
次に、携帯端末１００が入退場処理装置３００を通過する時に、入退場処理装置３００とＩＣカード２００の間で行われる非接触通信処理を、図４を用いて説明していく。図４においては、入退場処理装置３００が内蔵する非接触通信クライアントプログラム３３１の処理ステップと、ＩＣカード２００が内蔵する非接触通信サーバープログラム２３２の処理ステップを図示している。ここで、非接触サーバープログラム２３２は、前述したように通信管理プログラム２３６を介して非接触通信処理を行うが、以降の説明では、通信管理プログラム２３６の処理は省略して説明していく。まず、非接触通信クライアントプログラム３３１は処理Ｓ１３０１としてＩＣカードの検出処理を行う。この処理では、ＩＣカード検出用コマンドを定期的に送信しておき、ＩＣカードからの初期応答レスポンスを待つ。非接触通信サーバープログラム２３２は、ＩＣカード２００を内蔵した決済端末１００が入退場処理装置３００のコイル３４０に翳され、ＩＣカード検出用コマンドを受信したら、処理Ｓ１２０１として非接触通信クライアントプログラム３３１に、初期応答レスポンスを返信する。
非接触通信クライアントプログラム３３１は、初期応答レスポンスを受信すると、次に処理Ｓ１３０２として、非接触通信による初期化処理を行うために、非接触通信サーバープログラム２３２に、初期化用コマンドを送信する。非接触通信サーバープログラム２３２は、初期化用コマンドを受信すると、処理Ｓ１２０２として初期化処理を行うために、初期化用レスポンスを非接触通信クライアントプログラム３３１に送信する。ここで、図４においては、初期化用コマンドおよび初期化用レスポンスは１回しか送受信を行っていないが、複数種類の初期化用コマンドおよび初期化用レスポンスを複数回送受信しても本発明の適用範囲である。
【００２３】
非接触通信による初期化処理が完了すると、非接触通信クライアントプログラム３３１は、処理Ｓ１３０３として、非接触通信による認証処理を行うために、非接触通信サーバープログラム２３２に認証用コマンドを送信する。認証用コマンドは、鍵情報３３３を用いた暗号処理により作成しても良い。非接触通信サーバープログラム２３２は、認証用コマンドを受信すると、処理Ｓ１２０３として、認証処理を行うために、認証用レスポンスを非接触通信クライアントプログラム３３１に送信する。認証用レスポンスは、鍵情報２３４を用いた暗号処理により作成しても良い。ここで、図４においては、認証用コマンドおよび認証用レスポンスは１回しか送受信を行っていないが、複数種類の認証用コマンドおよび認証用レスポンスを複数回送受信しても本発明の適用範囲である。また、処理Ｓ１３０３と処理Ｓ１２０３による認証処理を行わない場合でも、本発明の適用範囲である。
【００２４】
非接触通信による認証処理が完了すると、非接触通信クライアントプログラム３３１は、処理Ｓ１３０４として、非接触通信を用いた決済処理を行うために、非接触通信サーバープログラム２３２に決済用コマンドを送信する。非接触通信サーバープログラム２３２は、決済用コマンドを受信すると、処理Ｓ１２０４として、決済処理を行うために、決済用レスポンスを非接触通信クライアントプログラム３３１に送信する。処理Ｓ１３０４の結果、課金情報３３４が更新され、処理Ｓ１２０４の結果、残高データ２３５が更新される。ここで、図４においては、決済用コマンドおよび決済用レスポンスは１回しか送受信を行っていないが、複数種類の認証用コマンドおよび認証用レスポンスを複数回送受信しても本発明の適用範囲である。また、処理Ｓ１３０４と処理Ｓ１２０４による決済処理を行わない場合でも、本発明の適用範囲である。
【００２５】
非接触通信による決済処理が完了すると、非接触通信クライアントプログラム３３１は、処理Ｓ１３０５として、入退場情報３３２を作成し、入退場情報３３２を格納した入退場情報保存要求コマンドを、非接触通信サーバープログラム２３２に送信する。非接触通信サーバープログラム２３２は、入退場情報保存要求コマンドを受信すると、処理Ｓ１２０５として、入退場情報保存要求コマンドから抽出した入退場情報を、情報蓄積手段２３０に、入退場情報２３３として保存する。もし、すでに入退場情報２３３が存在していれば、古い値を消去後、新しい値を保存してもいいし、あるいは古い値を履歴情報として別の場所に保存してから、新しい値を保存しても良い。
【００２６】
次に、携帯端末１００とＩＣカード２００の間で行われる接触通信処理を、図５を用いて説明していく。図５においては、携帯端末１００が内蔵する接触通信クライアントプログラム１３２の処理ステップと、ＩＣカード２００が内蔵する接触通信サーバープログラム２３１の処理ステップを図示している。ここで、接触サーバープログラム２３１は、前述したように通信管理プログラム２３６を介して接触通信処理を行うが、以降の説明では、通信管理プログラム２３６の処理は省略して説明していく。
【００２７】
まず、接触通信クライアントプログラム１３２は処理Ｓ２１０１として接触通信による初期化処理を行うために、接触通信サーバープログラム２３１に、初期化用コマンドを送信する。接触通信サーバープログラム２３１は、初期化用コマンドを受信すると、処理Ｓ２２０１として初期化処理を行うために、接触通信クライアントプログラム１３２に初期化用レスポンスを送信する。ここで、図５においては、初期化用コマンドおよび初期化用レスポンスは１回しか送受信を行っていないが、複数種類の初期化用コマンドおよび初期化用レスポンスを複数回送受信しても本発明の適用範囲である。
【００２８】
接触通信による初期化処理が完了すると、接触通信クライアントプログラム１３２は処理Ｓ２１０２として接触通信による認証処理を行うために、接触通信サーバープログラム２３１に、認証用コマンドを送信する。接触通信サーバープログラム２３１は、認証用コマンドを受信すると、処理Ｓ２２０２として認証処理を行うために、接触通信クライアントプログラム１３２に認証用レスポンスを送信する。ここで、図５においては、認証用コマンドおよび認証用レスポンスは１回しか送受信を行っていないが、複数種類の初期化用コマンドおよび初期化用レスポンスを複数回送受信しても本発明の適用範囲である。また、処理Ｓ２１０２と処理Ｓ２２０２による認証処理を行わない場合でも、本発明の適用範囲である。
【００２９】
接触通信による認証処理が完了すると、接触通信クライアントプログラム１３２は、処理Ｓ２１０３として、入退場情報を取得するために、入退場情報取得要求コマンドを、接触通信サーバープログラム２３１に送信する。接触通信サーバープログラム２３１は、入退場情報取得要求を受信すると、処理Ｓ２２０３として、情報蓄積手段２３０にある入退場情報２３４を格納した入退場情報取得要求レスポンスを、接触通信クライアントプログラム１３２に送信する。
【００３０】
接触通信クライアントプログラム１３２は、入退場情報取得要求レスポンスを受信したら入退場情報を抽出し、処理Ｓ２１０４として、入退場情報１３３と、タイムスタンプの値を比較する。もし入退場情報取得要求レスポンスから抽出した入退場情報のタイムスタンプの方が新しければ、入退場情報１３３の値を更新するとともに、携帯端末処理プログラム１３１に入場あるいは退場を行ったことを通知する。携帯端末処理プログラム１３１は、入場あるいは退場を行ったことを通知されたら、所定の動作状態（例えば電源オフや所定のマナーモード）に変更する。そして、接触通信クライアントプログラム１３２は、処理Ｓ２１０３に戻り、処理Ｓ２１０３と処理Ｓ２１０４を繰り返し実行していく。
【００３１】
以上の処理手順により、携帯端末１００は、入退場処理装置３００を通過した時に、特定のエリアに入場あるいは退場したことを、ＩＣカード２００を介して検出することが可能になる。これにより、例えば、入退場処理装置３００として機能する駅の自動改札装置に、携帯端末１００として機能する携帯電話を翳すことで、駅構内に入場した時には、携帯端末１００として機能する携帯電話をマナーモードの設定に自動的に切替え、着信があった場合に、着信音を鳴らす代わりにバイブレータを振動させることで、使用者に通知することが可能になる。また、駅構内から退場した場合は、マナーモードの設定を自動的に解除することが可能になり、利用者の利便性を向上させることができる。他の例としては、コンサートホールの出入口に設置した、入退場処理装置３００に、携帯端末１００を翳すことで、コンサートホールに入場したら、マナーモードに自動的に切替えることが考えられる。さらに、本発明を用いれば、入退場処理装置３００を通過することで、携帯端末１００の内部状態を変化させることが可能になるため、例えば、携帯端末１００の内部に電車の時刻表データを格納しておいて、入退場処理装置３００として機能する自動改札装置に、携帯端末１００を翳して駅構内に入場したら、携帯端末１００の表示手段１５０に、時刻表を自動的に表示させるなどして、利用者の利便性を向上させることも可能になる。ここで、時刻表の表示は、入退場情報を用いることで、タイプスタンプや場所情報（駅情報）などから、利用者が必要な時刻表データを抽出して、画面表示させることも可能である。
【００３２】
ここで、以上の説明では、特定エリアに入場する際に携帯端末の一例である携帯電話がマナーモードに切り替わり、退場する際にマナーモードが自動的に解除される例を説明したが、これに限られない。入退場情報１３３，２３３には、特定エリアの中にいるか外にいるかを示す入退場フラグ４０２のみでなく、タイムスタンプ４０１や場所情報４０３を格納している。そこで、これらの情報を用いて、エリアごと、また時間帯によって、携帯端末の動作状態の変更を設定することができる。例えば、電源をオフにしなければならない場所であれば電源をオフにするように設定できる。また、マナーモードには、着信音を消してバイブレータで着信を知らせるモードや、着信しても今は応答できないことを自動音声案内機能を用いて相手に通知するモードなど、複数の設定がある。そこで、エリアに応じてこれら様々なマナーモードのいずれの設定に変更するかを予め決めておくことができる。また、同じエリアであっても、時間帯によって異なる動作状態に変更するよう設定することもできる。
【００３３】
このようにエリアに応じて、または時間帯に応じて異なる動作状態に変更するように設定するには、そのエリアと時間帯と変更する動作状態との組み合わせを情報蓄積手段１３０内の設定情報１３４に記憶しておけばよい。この場合、携帯端末処理プログラム１３１は、入場あるいは退場を行ったことを通知された際に、まず設定情報１３４にアクセスし、入退場情報１３３に記憶されているタイムスタンプ４０１と場所情報４０３に対応する動作状態を検索する。そして携帯端末１００を検索した動作状態に変更する。なお、設定情報１３４は、携帯端末の製造時に設定しても良く、あるいはユーザが自分で設定できるようにしても良い。
【００３４】
例として、設定情報１３４をユーザが設定する場合に、携帯端末１００が表示する表示画面を図６に示す。図６において、携帯端末１００は、表示画面６０１と入力キー６０２を備えている。表示画面６０１には「エリア」と「時間帯」と「動作状態」を設定する画面を表示し、ユーザは、表示画面６０１に表示される内容を見ながら、入力キー６０２を用いて設定し、設定情報１３４として携帯端末１００に保存する。ここで「エリア」の設定として対応する数字コードを入力しているが、具体的な場所名称を入力する構成であってもよい。また、「エリア」と「時間」と「動作状態」の組み合わせを複数設定できる構成であっても良い。
【００３５】
次に、第２の実施例について説明していく。本実施形態に係わる通信システムの構成要素ブロック図は、第１の実施例の説明で用いた図１と同じであるが、本実施例においては、ＩＣカード２００に含まれる入退場情報２３３は、非接触通信サーバープログラム２３２だけがアクセス可能なデータエリアに格納されており、接触通信サーバープログラム２３１は、入退場情報２３３に、直接アクセスはできないものとする。その代わりに、接触通信サーバープログラム２３１は、通信管理プログラム２３６を介して、非接触通信サーバープログラム２３２に、入退場情報２３３の読出しを依頼する。この処理について、図６を用いて以下説明していく。
【００３６】
図７においては、ＩＣカード２００が内蔵する接触通信サーバープログラム２３１と非接触通信サーバープログラム２３２と通信管理プログラム２３６の処理ステップを図示している。
【００３７】
まず、ＩＣカード２００が接触通信手段２２０を介して、外部から入退場情報読出要求を行う接触通信コマンドを受信すると、はじめに通信制御プログラム２３６に入退場情報読出要求を行う接触通信コマンドが渡される。そして通信制御プログラム２３６は、処理Ｓ５６０１として、接触通信サーバープログラム２３１に入退場情報読出要求を行う接触通信コマンドを転送する。接触通信サーバープログラム２３１は入退場情報読出要求を行う接触通信コマンドを受信すると、処理Ｓ５１０１として入退場情報読出要求を行う接触通信コマンドを、入退場情報読出要求を行う非接触通信コマンドに変換して、通信制御プログラム２３６に転送する。通信制御プログラム２３６は、入退場情報読出要求を行う非接触通信コマンドを受信すると、処理Ｓ５６０２として入退場情報読出要求を行う非接触通信コマンドを非接触通信サーバープログラム２３２に転送する。非接触通信サーバープログラム２３２は入退場情報読出要求を行う非接触通信コマンドを受信すると、処理Ｓ５２０１として入退場情報読出処理を行い、入退場情報を格納した非接触通信レスポンスを、通信制御プログラム２３６に送信する。通信制御プログラム２３６は入退場情報を格納した非接触通信レスポンスを受信したら、処理Ｓ５６０３として、入退場情報を格納した非接触通信レスポンスを、接触通信サーバープログラム２３１に転送する。接触通信サーバープログラム２３１は入退場情報を格納した非接触通信レスポンスを受信したら、処理Ｓ５１０２として、入退場情報を格納した非接触通信レスポンスを、入退場情報を格納した接触通信レスポンスに変換し、通信制御プログラム２３６に転送する。通信制御プログラム２３６は、入退場情報を格納した接触通信レスポンスを受信すると、処理Ｓ５６０４として接触通信手段２４０を介して外部に入退場情報を格納した接触通信レスポンスを送信する。
【００３８】
以上の処理手順により、接触通信サーバープログラム２３１は、非接触通信サーバープログラム２３２に、入退場情報２３３の読出しを依頼することが可能になる。
【００３９】
次に、本実施例においては、入退場処理装置３００とＩＣカード２００の間で行われる非接触通信処理手順は、第１の実施例で図４を用いて説明した非接触通信処理手順と同じである。
【００４０】
次に、携帯端末１００とＩＣカード２００の間で行われる接触通信処理を、図８を用いて説明していく。図８においては、携帯端末１００が内蔵する接触通信クライアントプログラム１３２の処理ステップと、ＩＣカード２００が内蔵する接触通信サーバープログラム２３１および非接触通信サーバープログラム２３２の処理ステップを図示している。ここで、接触サーバープログラム２３１と非接触サーバープログラムは、前述したように通信管理プログラム２３６を介して通信処理を行うが、以降の説明では、通信管理プログラム２３６の処理は省略して説明していく。
【００４１】
まず、接触通信クライアントプログラム１３２は処理Ｓ３１０１として接触通信による初期化処理を行うために、接触通信サーバープログラム２３１に、初期化用コマンドを送信する。接触通信サーバープログラム２３１は、初期化用コマンドを受信すると、処理Ｓ３２０１として初期化処理を行うために、接触通信クライアントプログラム１３２に初期化用レスポンスを送信する。ここで、図８においては、初期化用コマンドおよび初期化用レスポンスは１回しか送受信を行っていないが、複数種類の初期化用コマンドおよび初期化用レスポンスを複数回送受信しても本発明の適用範囲である。
【００４２】
接触通信による初期化処理が完了すると、接触通信クライアントプログラム１３２は処理Ｓ３１０２として接触通信による認証処理を行うために、接触通信サーバープログラム２３１に、認証用コマンドを送信する。接触通信サーバープログラム２３１は、認証用コマンドを受信すると、処理Ｓ３２０２として認証処理を行うために、接触通信クライアントプログラム１３２に認証用レスポンスを送信する。接触通信サーバープログラム２３２は、認証用コマンドを受信すると、処理Ｓ３２０２として認証処理を行うために、接触通信クライアントプログラム１３２に認証用レスポンスを送信する。ここで、図８においては、認証用コマンドおよび認証用レスポンスは１回ずつしか送受信を行っていないが、複数種類の初期化用コマンドおよび初期化用レスポンスを複数回送受信しても本発明の適用範囲である。また、処理Ｓ３１０２と処理Ｓ３２０２による認証処理を行わない場合でも、本発明の適用範囲である。
【００４３】
接触通信による認証処理が完了すると、接触通信クライアントプログラム１３２は、処理Ｓ３１０３として、入退場情報を取得するために、入退場情報取得要求コマンドを、接触通信サーバープログラム２３１に送信する。接触通信サーバープログラム２３１は、入退場情報取得要求を受信すると、処理Ｓ３２０３として、非接触通信サーバープログラム２３２に、入退場情報取得要求コマンドを送信する。非接触通信サーバープログラム２３２は、入退場情報取得要求を受信すると、処理Ｓ３３０２として情報蓄積手段２３０にある入退場情報２３４を格納した、入退場情報取得要求レスポンスを、接触通信サーバープログラム２３１に送信する。接触通信サーバープログラム２３１は、入退場情報取得要求レスポンスを受信したら入退場情報を抽出し、再び入退場情報を格納した入退場情報取得要求レスポンスを、接触通信クライアントプログラム１３２に送信する。
【００４４】
接触通信クライアントプログラム１３２は、入退場情報取得要求レスポンスを受信したら入退場情報を抽出し、処理Ｓ３１０４として、入退場情報１３３と、タイムスタンプの値を比較する。もし入退場情報取得要求レスポンスから抽出した入退場情報のタイムスタンプの方が新しければ、入退場情報１３３の値を更新するとともに、携帯端末処理プログラム１３１に入場あるいは退場を行ったことを通知する。そして、接触通信クライアントプログラム１３２は、処理Ｓ３１０３に戻り、処理Ｓ３１０３と処理Ｓ３１０４を繰り返し実行していく。
【００４５】
本実施形態によれば、次のような効果がある。即ち、入退場情報２３３が入退場の管理を行う非接触サーバープログラムだけがアクセスできる領域に格納されている場合でも、接触通信サーバープログラム２３１と通信管理プログラム２３６を介すことによって携帯端末が入退場情報２３３にアクセス可能とすることができる。
【００４６】
次に、第３の実施例について説明していく。図９は、本実施形態に係わる通信システムの構成要素ブロック図を示している。図９においては、ＩＣカード２００と入退場処理装置３００は、第１の実施例の説明で用いた図１のＩＣカード２００と入退場処理装置３００と同じ構成要素から成る。図９の携帯端末１００は、図１の携帯端末１００の構成要素に加えて、非接触通信検出手段１９０を内蔵している。非接触通信検出手段１９０は、コイル１２３と接続されており、入退場処理装置３００とＩＣカード２００が非接触通信を開始し、コイル１２３にＲＦ動作磁界がかかり、電磁誘導により電力が発生したことを検出する機能を有する。また、入退場処理装置３００とＩＣカード２００の非接触通信が終了したことも検出することができる。
【００４７】
これにより、非接触通信検出手段１９０が、非接触通信の開始あるいは終了を検出したら、割り込み処理などを用いて、接触通信クライアントプログラム１３２に通知を行うことが可能になる。接触通信クライアントプログラム１３２は、この通知を受信したら、ＩＣカード２００が内蔵する入退場情報２３３の取得処理を実行し、もし入退場情報２３３の値が最新の値であれば、携帯端末処理プログラム１３１に通知を行い、携帯端末１００の状態を変更する。
【００４８】
本実施形態によれば、接触通信クライアントプログラム１３２が定期的にＩＣカードにアクセスして、入退場情報２３３が更新されたか否かをチェックする必要がないという効果がある。そして、ＩＣカードへのアクセスが減少した分だけ消費電力が軽減するという効果がある。
【００４９】
次に、第４の実施例について説明していく。図１０は、本実施形態に係わる通信システムの構成要素ブロック図を示している。図１０においては、第１の実施例の説明で用いた図１と同じ構成要素から成るが、ＩＣカード２００の接触通信手段２２０は、携帯端末１００のコイル１２３と接続されており、入退場処理装置３００とＩＣカード２００が非接触通信を開始し、コイル１２３にＲＦ動作磁界がかかり、電磁誘導により電力が発生したことを検出する機能を有する。また、入退場処理装置３００とＩＣカード２００の非接触通信が終了したことも検出することができる。
【００５０】
これにより、接触通信手段２２０が、非接触通信の開始あるいは終了を検出したら、接触通信手段１１０を介し、割り込み処理などを用いるなどして、接触通信クライアントプログラム１３２に通知を行うことが可能になる。接触通信クライアントプログラム１３２は、この通知を受信したら、ＩＣカード２００が内蔵する入退場情報２３３の取得処理を実行し、もし入退場情報２３３の値が最新の値であれば、携帯端末処理プログラム１３１に通知を行い、携帯端末１００の状態を変更する。
【００５１】
なお、ここでは接触通信手段２２０が非接触通信を検出する機能を有するように説明したが、通信管理プログラム２３６が検出する機能を有するようにすることもできる。即ち、非接触通信において外部から入力されるコマンドや外部へ出力するレスポンスは必ず通信管理プログラム２３６を介して転送されるので、通信管理プログラム２３６は非接触通信の開始あるいは終了を検出することができる。そして通信管理プログラム２３６が非接触通信の開始あるいは終了を検出すると、接触通信手段２２０と接触通信手段１１０を介し、割り込み処理などを用いるなどして、接触通信クライアントプログラム１３２に通知を行うことが可能になる。
【００５２】
【発明の効果】
本発明によれば、特定エリアで携帯端末が周囲の人へ迷惑を掛けることのない通信システムを提供することができる。
【図面の簡単な説明】
【図１】第１の実施例に係わる、通信システムの構成要素ブロック図である。
【図２】ＩＣカード２００が有する入退場情報２３３の構成図である。
【図３】ＩＣカード２００の通信処理管理のフロー図である。
【図４】入退場処理装置３００とＩＣカード２００の間で行われる非接触通信処理のフロー図である。
【図５】携帯端末１００とＩＣカード２００の間で行われる接触通信処理のフロー図である。
【図６】設定情報１３４を設定するための携帯端末１００の表示画面に関するブロック図である。
【図７】ＩＣカード２００の通信処理管理のフロー図である。
【図８】携帯端末１００とＩＣカード２００の間で行われる接触通信処理のフロー図である。
【図９】第３の実施例に係わる、通信システムの構成要素ブロック図である。
【図１０】第４の実施例に係わる、通信システムの構成要素ブロック図である。
【符号の説明】
１００…決済端末、１１０…接触通信手段、１２０…演算処理手段、１２３…コイル、１３０…情報蓄積手段、１３１…携帯端末処理プログラム、１３２…接触通信クライアントプログラム、１３３…入退場情報、１４０…操作手段、１５０…表示手段、１６０…無線通信手段、１６１…アンテナ、１７０…音声処理手段、１８０…振動処理手段、１８１…バイブレータ、２００…ＩＣカード、２１０…演算処理手段、２２０…接触通信手段、２３０…情報蓄積手段、２３１…接触通信サーバープログラム、２３２…非接触通信サーバープログラム、２３３…入退場情報、２３４…鍵情報、２３５…残高データ、２３６…通信管理プログラム、２４０…非接触通信手段、３００…入退場処理装置、３１０…演算処理手段、３２０…非接触通信手段、３３０…情報蓄積手段、３２１…非接触通信クライアントプログラム、３３２…入退場情報、３３３…鍵情報、３３４…課金情報、３４０…コイル
【図１】
2004349994.tif 000003
【図２】
2004349994.tif 000004
【図３】
2004349994.tif 000005
【図４】
2004349994.tif 000006
【図５】
2004349994.tif 000007
【図６】
2004349994.tif 000008
【図７】
2004349994.tif 000009
【図８】
2004349994.tif 000010
【図９】
2004349994.tif 000011
【図１０】
2004349994.tif 000012